(57)【要約】【課題】複数のユーザそれぞれ毎に、そのユーザが所望するグループ分けを行うことができる部品統合管理装置を提供する。【解決手段】部品統合管理装置１００は、製品を構成する複数の部品それぞれごとに、当該部品に関する複数の部品情報が格納された部品管理データベース１１０を用いる部品統合管理装置であって、複数の部品情報には属性が各々設定されており、ユーザからの属性の選択を受け付ける属性選択受付部１３０と、選択された属性に対応する複数の部品情報を選択する部品情報読出部１２０と、選択された部品情報に基づいて、複数の部品が分けられるべき複数のグループを生成するグループ分け部１４０と、複数のグループそれぞれを特定する表示用情報を生成して表示する特定情報表示部１５０と、を備える。【選択図】図１
2010073166.tif 000002
【特許請求の範囲】
【請求項１】
製品を構成する複数の部品それぞれごとに、当該部品に関する複数の部品情報が格納された部品管理データベースを用いる部品統合管理装置であって、
前記複数の部品情報には属性が各々設定されており、
ユーザからの前記属性の選択を受け付ける属性選択受付手段と、
選択された前記属性に対応する前記複数の部品情報を選択する部品情報読出手段と、
選択された前記部品情報に基づいて、前記複数の部品が分けられるべき複数のグループを生成するグループ分け手段と、
前記複数のグループそれぞれを特定する表示用情報を生成して表示する特定情報表示手段と、
を備えることを特徴とする部品統合管理装置。
【請求項２】
前記属性選択受付手段は、２つの前記属性の選択を受付けて、
前記部品情報読出手段は、選択された前記２つの属性に対応する第１の前記部品情報と第２の前記部品情報を選択し、
前記グループ分け手段は、
前記第１の部品情報に基づいて、前記複数のグループを生成すると共に、前記第１の部品情報と前記第２の部品情報の組み合わせに基づいて、前記複数の部品が分けられるべき複数のサブグループを生成する
ことを特徴とする請求項１に記載の部品統合管理装置。
【請求項３】
前記属性選択受付手段は、
表示された前記複数の表示用情報に対し、ユーザからの第２の前記属性の選択を受付けて、
前記部品情報読出手段は、
選択された前記第２の属性に対応する第２の前記部品情報を選択し、
前記グループ分け手段は、
選択された前記第２の部品情報に基づいて、同一の前記グループに属する前記複数の部品が分けられるべき複数のサブグループを生成し、
前記特定情報表示手段は、
前記複数のグループと前記複数のサブグループの階層構造をツリー構造により表示する
ことを特徴とする請求項１又は２に記載の部品統合管理装置。
【請求項４】
前記属性選択受付手段は、
前記部品情報に対して所定条件の入力を受付ける条件受付手段を備え、
前記部品情報読出手段は、
前記条件受付手段によって入力を受付けた前記所定条件に該当する前記部品情報を含む部品を選択し、
前記特定情報表示手段は、
選択された当該部品を含むグループ及びサブグループに対応する前記表示用情報を、他の前記表示用情報から識別可能に表示する
ことを特徴とする請求項１ないし３の何れか１項に記載の部品統合管理装置。
【請求項５】
製品を構成する複数の部品それぞれごとに、当該部品に関する複数の部品情報が格納された部品管理データベースを用いる部品統合管理方法であって、
前記複数の部品情報には属性が各々設定されており、
コンピュータが、ユーザからの前記属性の選択を受け付ける属性選択受付ステップと、
前記コンピュータが、選択された前記属性に対応する前記複数の部品情報を選択する部品情報読出ステップと、
前記コンピュータが、選択された前記部品情報に基づいて、前記複数の部品が分けられるべき複数のグループを生成するグループ分けステップと、
前記コンピュータが、前記複数のグループそれぞれを特定する表示用情報を生成して表示する特定情報表示ステップと、
を含むことを特徴とする部品統合管理方法。
【請求項６】
製品を構成する複数の部品それぞれごとに、当該部品に関する複数の部品情報が格納された部品管理データベースを用いる部品統合管理プログラムであって、
前記複数の部品情報には属性が各々設定されており、
ユーザからの前記属性の選択を受け付ける属性選択受付手順と、
選択された前記属性に対応する前記複数の部品情報を選択する部品情報読出手順と、
選択された前記部品情報に基づいて、前記複数の部品が分けられるべき複数のグループを生成するグループ分け手順と、
前記複数のグループそれぞれを特定する表示用情報を生成して表示する特定情報表示手順と、
をコンピュータに実行させることを特徴とする部品統合管理プログラム。
【発明の詳細な説明】
【技術分野】
【０００１】
本発明は、部品統合管理装置、部品統合管理方法および部品統合管理プログラムに関する。
【背景技術】
【０００２】
製品を製造する製造工程や部品を設計する設計工程において、製品や部品を管理するＢＯＭ（Bills Of Materials：部品表）が知られている。ＢＯＭは、親部品と子部品の関係における集合によって表現され、子部品が複数集まることによって完成するものを親部品として表現することができる。
【０００３】
このＢＯＭに関するものとして、例えば、特許文献１に設計管理装置が記載されている。この特許文献１に記載された設計管理装置は、部品の手配状況を管理するものであって、製品の設計情報をもとに部品の階層構造を辿ってツリー構造を表示する手段と、表示された部品に対応する必要数、既手配数、今回手配数を設定する部品情報と、今回手配数が入力されたことに対応して既手配数を更新すると共に手配処理に通知する手段とを備えたことを特徴とするものである。
【特許文献１】特開平１０−２２２５９７号公報
【発明の開示】
【発明が解決しようとする課題】
【０００４】
ところで、ＢＯＭを利用するユーザそれぞれは、互いに役割や部署が異なっている。ＢＯＭの各ユーザの利用形態を考慮すると、利用目的にあったＢＯＭを、適切にグループ分けを行う必要があることが見出された。例えば、部品の属性に複数種類の情報を格納した場合において、その格納された複数種類の情報に基づいて、ユーザが所望するグループに管理される部品を並び替えて各部品を表示すると、ユーザの作業効率が向上することが見出された。一方、ＢＯＭを利用するユーザの役割や部署によっては階層ツリー等の雛形が用意されることもあるが、その場合には雛形により表示形式が固定されてしまっていた。
【０００５】
本発明は上記事情に鑑みてなされたものであり、その目的とするところは、複数のユーザそれぞれ毎に、そのユーザが所望するグループ分けを行うことができる部品統合管理装置、部品統合管理方法および部品統合管理プログラムを提供することにある。
【課題を解決するための手段】
【０００６】
本発明によれば、製品を構成する複数の部品それぞれごとに、当該部品に関する複数の部品情報が格納された部品管理データベースを用いる部品統合管理装置であって、
前記複数の部品情報には属性が各々設定されており、
ユーザからの前記属性の選択を受け付ける属性選択受付手段と、
選択された前記属性に対応する前記複数の部品情報を選択する部品情報読出手段と、
選択された前記部品情報に基づいて、前記複数の部品が分けられるべき複数のグループを生成するグループ分け手段と、
前記複数のグループそれぞれを特定する表示用情報を生成して表示する特定情報表示手段と、
を備えることを特徴とする部品統合管理装置が提供される。
【０００７】
本発明によれば、製品を構成する複数の部品それぞれごとに、当該部品に関する複数の部品情報が格納された部品管理データベースを用いる部品統合管理方法であって、
前記複数の部品情報には属性が各々設定されており、
コンピュータが、ユーザからの前記属性の選択を受け付ける属性選択受付ステップと、
前記コンピュータが、選択された前記属性に対応する前記複数の部品情報を選択する部品情報読出ステップと、
前記コンピュータが、選択された前記部品情報に基づいて、前記複数の部品が分けられるべき複数のグループを生成するグループ分けステップと、
前記コンピュータが、前記複数のグループそれぞれを特定する表示用情報を生成して表示する特定情報表示ステップと、
を含むことを特徴とする部品統合管理方法が提供される。
【０００８】
本発明によれば、製品を構成する複数の部品それぞれごとに、当該部品に関する複数の部品情報が格納された部品管理データベースを用いる部品統合管理プログラムであって、
前記複数の部品情報には属性が各々設定されており、
ユーザからの前記属性の選択を受け付ける属性選択受付手順と、
選択された前記属性に対応する前記複数の部品情報を選択する部品情報読出手順と、
選択された前記部品情報に基づいて、前記複数の部品が分けられるべき複数のグループを生成するグループ分け手順と、
前記複数のグループそれぞれを特定する表示用情報を生成して表示する特定情報表示手順と、
をコンピュータに実行させることを特徴とする部品統合管理プログラムが提供される。
【発明の効果】
【０００９】
本発明によれば、複数のユーザそれぞれ毎に、そのユーザが所望するグループ分けを行うことができる。
【発明を実施するための最良の形態】
【００１０】
以下、本発明の実施の形態について、図面を用いて説明する。尚、すべての図面において、同様な構成要素には同様の符号を付し、適宜説明を省略する。
（第１の実施の形態）
【００１１】
図１は、本実施の形態に係る部品統合管理装置１００の概略の構成を示した概略構成図である。
【００１２】
図１に示す部品統合管理装置１００は、部品管理データベース１１０と、部品情報読出部１２０と、属性選択受付部１３０と、グループ分け部１４０と、特定情報表示部１５０とを構成要素として備えている。
【００１３】
部品管理データベース１１０には、製品を構成する複数の部品それぞれごとに、その部品に関する複数の部品情報が格納されている。また、複数の部品情報には、属性が各々設定されている。なお、部品管理データベース１１０に格納されている部品は、設計ＢＯＭ、生産ＢＯＭ、生産ＢＯＭ等いずれの部品であっても良く、また各ＢＯＭの部品が統合されて格納されているものとする。
【００１４】
部品情報読出部１２０は、部品管理データベース１１０から、複数の部品と、部品それぞれの複数の部品情報を読み出す。
【００１５】
属性選択受付部１３０は、ユーザからの属性の任意の選択を受け付ける。また、属性選択受付部１３０は、特定情報表示部１５０によって表示された複数のグループを特定する情報に対し、ユーザからの第２の属性に基づくサブグループの選択も受付ける。
【００１６】
グループ分け部１４０は、ユーザによって選択された属性に対応する部品情報に基づいて、複数の部品を複数のグループに分ける。また、グループ分け部１４０は、属性選択受付部１３０によって選択された第２の属性に対応する複数の部品情報に基づいて、同一のグループに属する複数の部品を、複数のサブグループに分ける。
【００１７】
特定情報表示部１５０は、複数のグループそれぞれを特定する情報を表示する。また、特定情報表示部１５０は、複数のグループと、グループに含まれる複数のサブグループの階層構造をツリー構造により表示する。
【００１８】
属性選択記憶部２００は、グループ分け部１４０によってグループに分けた属性や属性に対応する部品情報を、表示における設定値として記憶する。グループ分け部１４０は、属性選択記憶部２００から、記憶された属性や属性に対応する部品情報を読み出して、特定情報表示部１５０によって表示されたツリー構造の設定を再現することができる。
【００１９】
なお、部品統合管理装置１００は、コンピュータプログラムを読み取って対応するデータ処理を実行できるように、ＣＰＵ（Central Processing Unit）、ＲＯＭ（Read Only Memory）、ＲＡＭ（Random Access Memory）、Ｉ／Ｆ（Interface）ユニット等の汎用デバイスで構築されたハードウェア、所定のデータ処理を実行するように構築された専用の論理回路、これらの組み合わせ等として実施することができる。
【００２０】
また、本実施の形態において、コンピュータプログラムに対応した各種動作を部品統合管理装置１００に実行させることは、各種デバイスをデータ処理装置に動作制御させることなども意味している。
【００２１】
次に、本実施の形態に係る部品統合管理装置１００の動作について図面を用いて説明する。
【００２２】
図２は、本実施の形態に係る部品統合管理装置１００の動作を示したフローチャートである。まず、部品統合管理装置１００において、部品情報読出部１２０が部品管理データベース１１０から複数の部品の部品情報を部品データとして読み出す（ステップＳ００１）。
【００２３】
ここで、部品管理データベース１１０から読み出された部品データの一例を、図３に示す。図３に示す部品データは、部品番号、部品名称、ＶＥＲ、ＭＡＲＫ、ＲＥＶ、ステート、ロックという項目を属性としてを備えている。ここで、ＶＥＲとは、Ｖｅｒｓｉｏｎの略であり、ＲＥＶとは、Ｒｅｖｉｓｉｏｎの略である。
【００２４】
属性選択受付部１３０は、ユーザからの属性の選択を受け付けており、図示しないマウスやキーボードなどの操作によって部品データの属性の選択を受け付ける（ステップＳ００２）。本実施の形態では、図３のＲＥＶという属性が、選択枠２１０によって選択されている。
【００２５】
これにより、グループ分け部１４０は、選択されたＲＥＶに対応する部品情報に基づいて、部品データが分けられるべき複数のグループを生成する（ステップＳ００３）。そして、特定情報表示部１５０は、複数のグループそれぞれを特定する表示用情報を生成し、各グループを表示する（ステップＳ００４）。
【００２６】
具体的には、図３を参照すると、第１の属性の選択例では、選択枠２１０によってＲＥＶが選択されたので、Ｐａｒｔ−Ａ−０１と、Ｐａｒｔ−Ｂ−０１と、Ｐａｒｔ−Ｃ−０１の３つのグループが生成され、表示用情報として、グループ名Ｐａｒｔ−Ａ−０１と、Ｐａｒｔ−Ｂ−０１と、Ｐａｒｔ−Ｃ−０１が表示される。
【００２７】
属性選択受付部１３０は、ユーザから部品情報の選択を受け付けており、ユーザの選択に基づいて、例えば、選択枠２２０によってグループ名Ｐａｒｔ−Ａ−０１を選択する（ステップＳ００５）。グループ分け部１４０は、ＲＥＶに対応する部品情報として、Ｐａｒｔ−Ａ−０１を有する部品情報を選択し、選択した部品の複数の部品情報を表示させる（ステップＳ００６）。
【００２８】
グループ分け部１４０は、ユーザによって選択された属性を、属性選択記憶部２００に格納する。本実施の形態では、属性選択記憶部２００は、３つのグループが形成されたＲＥＶという属性を記憶する（ステップＳ００７）。
【００２９】
ここで、グループ分け部１４０と特定情報表示部１５０が行った処理結果の一例を、図４に示す。先に示した図３のＲＥＶには、Ｐａｒｔ−Ａ−０１と、Ｐａｒｔ−Ｂ−０１と、Ｐａｒｔ−Ｃ−０１という３種類の部品情報があった。このため、図４に示す左側のグループ名は、ＲＥＶの部品情報により、Ｐａｒｔ−Ａ―０１と、Ｐａｒｔ−Ｂ−０１と、Ｐａｒｔ−Ｃ−０１の３つのグループに分けられる。また、選択枠２２０によってＰａｒｔ−Ａ−０１が選択されており、図４の右側に示すように、グループ名Ｐａｒｔ−Ａ−０１に属する４つの部品が、検索部品一覧の結果として示されている。
【００３０】
以上説明したように、本実施の形態によれば、部品統合管理装置１００は、ユーザによって検索したい属性の条件が設定され、所望の属性に従ったグループ分けを行うことができる。
【００３１】
（第２の実施の形態）
第１の実施の形態では、選択された属性に対応する部品情報に基づいて、部品データを複数のグループに分けるようになっていたが、本実施の形態では、最初に複数の属性が同時に選択され、その複数の属性をＡＮＤ条件（論理積）として部品情報を絞り込む。
【００３２】
例えば、属性選択受付部１３０は、第１の属性と第２の属性の選択を受け付ける。グループ分け部１４０は、第１の属性に対応する部品情報に基づいて、複数の部品を複数のグループに分けると共に、第２の属性に対応する部品情報に基づいて、複数のグループに分けられた複数の部品を、更に複数のグループに分ける。
【００３３】
図５は、第２の実施の形態に係る部品統合管理装置１００の動作を示したフローチャートである。第２の実施の形態では、第１の実施の形態と対比すると、ステップＳ００２−１乃至ステップＳ００４−１の処理が、ステップＳ００２乃至ステップＳ００４の処理と異なっている。なお、その他のステップでは、同一の処理を行う。
【００３４】
ここで、部品管理データベース１１０から読み出された部品データの一例を、図６に示す。図６に示す部品データは、図３と同一の項目を属性として備えている。図６に示す部品データでは、属性選択受付部１３０が、ＲＥＶとステートの２つの属性を選択枠３１０によって同時に選択している。すなわち、第２の実施の形態では、ステップＳ００１の処理の後、ステップＳ００２−１の処理において、属性選択受付部１３０が、２つの属性を同時に選択しているので、グループ分け部１４０は、ＲＥＶとステートの属性をＡＮＤ条件（論理積）によって、絞り込みを行うことができる。
【００３５】
具体的には、図５では、属性選択受付部１３０は、複数の属性に順位を付けて、各属性を選択する（ステップＳ００２−１）。なお、順位付けは、例えば、属性の選択順に従って行われる。グループ分け部１４０は、属性に付けられた順位に則り、属性に対応する部品情報に基づいて、部品データをグループに分ける（ステップＳ００３−１）。
【００３６】
詳細には、第１の順位として選択された属性に対応する部品情報を読み出し、グループ分けを行う。そして、各グループそれぞれにおいても、第２の順位として選択された属性に対応する部品情報を読み出してグループ分けを行い、サブグループを生成する。以下、この処理を全ての属性に対応する部品情報に従って、グループ分けを行い、このグループ分けを繰り返す。
【００３７】
特定情報表示部１５０は、複数の属性の順位に則って、属性に対応付けられた部品情報をＡＮＤ条件によって絞り込み、絞り込んだ結果を表示する（ステップＳ００４−１）。
【００３８】
ここで、グループ分け部１４０と特定情報表示部１５０が行った処理結果の一例を、図７に示す。先に示した図６の選択枠３１０は、ＲＥＶとステートに対応する部品情報に基づいて、ＡＮＤ条件により検索することを示している。図７に示す選択枠３２０は、ステップＳ００２−１の処理の結果、ＲＥＶ（第１の属性）とステート（第２の属性）を選択し、ステップＳ００３−１の処理において複数のグループに分けられ、ステップＳ００４−１の処理により、複数の属性に対応する部品情報に基づいて、階層構造によって表示される。
【００３９】
具体的には、図７の選択枠３２０では、Ｐａｒｔ−Ａ−０１と、Ｐａｒｔ−Ｂ−０１と、Ｐａｒｔ−Ｃ−０１の３つのグループに分けられるとともに、Ｐａｒｔ−Ａ−０１の下の階層として、承認待ちと仕掛りの階層構造が表示されている。図７に示す選択枠３３０は、Ｐａｒｔ−Ａ−０１の承認待ちが選択されており、図７の右側に、ＡＮＤ条件として検索された結果として、検索部品一覧にＰａｒｔ−０００１とＰａｒｔ−０００２が表示されている。
【００４０】
なお、図７に示した選択枠３２０は、ステップＳ００４−１において、Ｐａｒｔ−Ａ−０１について承認待ちと仕掛りの階層構造が表示されていたが、Ｐａｒｔ−Ｂ−０１、Ｐａｒｔ−Ｃ−０１のそれぞれについても階層構造を表示するようにしても良い。
【００４１】
以上説明したように第２の実施の形態では、部品統合管理装置１００は、複数の属性を同時に選択して、その複数の属性についてＡＮＤ条件として部品情報を絞り込み、検索することができる。
【００４２】
（第３の実施の形態）
第２の実施の形態では、最初に複数の属性が同時に選択され、その複数の属性をＡＮＤ条件（論理積）として部品情報を絞り込む場合について説明したが、本実施の形態では、最初に部品データの第１の属性を選択し、その第１の属性に対応する部品情報に基づいて階層構造を表示し、同一の部品情報に属するサブグループをツリー構造により表示する。
【００４３】
例えば、グループ分け部１４０は、選択された第１の属性に対応する部品情報に基づいて、複数の部品を複数のグループに分ける。また、部品情報に基づいて階層構造を生成するとともに表示を行い、別途、新たに選択される第２の属性に対応する部品情報に基づいて、同一のグループに属する複数の部品を、更に複数のサブグループに分ける。
【００４４】
図８は、第３の実施の形態に係る部品統合管理装置１００の動作を示したフローチャートである。第３の実施の形態では、第１の実施の形態と対比すると、ステップＳ００５−１乃至ステップＳ００５−３の処理が、図２のステップＳ００５の処理と異なっている。なお、その他のステップでは、同一の処理を行う。
【００４５】
従って、第３の実施の形態では、図８のフローチャートに示すように、ステップＳ００２において、最初に選択された属性に対応する部品情報に基づいて、ステップＳ００３においてグループ化がなされた後、ステップＳ００４の処理において、表示用情報による表示がなされる。すなわち、本実施の形態では、図３に示す選択枠２１０によって、ＲＥＶが選択された状態から、ステップＳ００４の処理により、図４の左側と同様なグループが生成される。
【００４６】
次に、図８に示すステップＳ００５−１の処理において、第２の属性の選択を受け付けて、選択された属性に対応する部品情報に基づいて、サブグループを生成する（ステップＳ００５−２）。特定情報表示部１５０は、ステップＳ００５−２の処理によって生成されたサブグループを、ツリー構造によって表示する（ステップＳ００５−３）。
【００４７】
なお、本実施の形態では、表示されるツリー構造は、図４の左側に記載されたグループにおいて、選択枠２２０によって選択されることにより、図７の選択枠３２０で示した階層構造をツリー構造により表示する。
【００４８】
以上説明したように本実施の形態によれば、最初に部品データの属性を選択し、後からユーザの検索したい第２の属性を選択することができるので、属性に対応する部品情報に基づいて、検索したい部品を容易に検索することができる。
【００４９】
（第４の実施の形態）
第１ないし第３の実施の形態では、選択された属性に基づいて、グループに分けるようになっていたが、本実施の形態では、更にユーザの検索したい所望の部品を視覚的に識別する（例えば、マーキング）。この場合、例えば、属性選択受付部１３０は、条件受付部１６０を備えることにより、条件受付部１６０が部品情報に対して所定条件の入力を受付ける。
【００５０】
グループ分け部１４０は、部品データの複数の部品情報のうち、部品情報の一部が、条件受付部１６０によって受け付けた所定条件に該当する場合には、その所定条件に該当する部品情報を含む部品を選択する。また、特定情報表示部１５０は、グループ分け部１４０によって選択された部品を含むグループ及びサブグループを、他のグループ及びサブグループから識別可能となるように、マーキングアイコンや色づけを行うことによって表示する。
【００５１】
図９は、部品管理データベース１１０から読み出された部品データの一例である。図９に示す部品データは、図３に示した部品データとほぼ同様な属性を有している。なお、部品番号や部品名称には、文書管理としてドキュメント番号が与えられているが、本発明に係る実施の形態では、部品番号が部品を示す番号であってもドキュメント番号であっても良く、ＢＯＭを構成するものであれば各ＢＯＭを統合して取り込むことができる。
【００５２】
図９の部品データを参照すると、まず、属性選択受付部１３０が、選択枠４１０によってＲＥＶとステートの属性を選択している。グループ分け部１４０は、第２の実施の形態と同様に、ＲＥＶとステートの属性に対応する部品情報に基づいて、部品データをグループに分ける。条件受付部１６０は、例えば、マーキング条件タブ（図示せず）によってマーキングする属性の指定を受け付け、図９に示したロックの属性について、「有り」を指定する。または、選択枠４２０に示すように、直接、マーキングする属性の指定を選択する形態であっても良い。
【００５３】
図１０は、図９の部品データがＡＮＤ条件によって検索された結果を示すとともに、特定情報表示部１５０がマーキング表示する一例を示したものである。図１０に示す選択枠４３０は、ＲＥＶ（第１の属性）とステート（第２の属性）によってグループに分けられた後、特定情報表示部１５０が、マーキングする属性の指定を受けた部品情報を含む部品のグループを表示したものである。また、図１０に示す選択枠４４０は、ＲＥＶ（第１の属性）とステート（第２の属性）によってグループに分けられた後、特定情報表示部１５０が、マーキングする属性の指定を受けた部品情報を含む部品のサブグループを表示したものである。
【００５４】
なお、図１０に示す選択枠４３０と選択枠４４０は、マーキングアイコンとして☆型のマークを用いており、マーキングされた部品情報を含む部品のグループまたはサブグループであることを示している。また、図１０に示すように、☆型のマーキングアイコンは、特定情報として表示される表示用情報に付される。
【００５５】
また、図１０の右側に示す検索部品一覧は、ロックの属性が「有り」となっている部品情報を含む部品のサブグループの部品情報が表示されている。図１０に示す例では、選択枠４４０の仕掛りが該当するので、ＲＥＶがＤＯＣ−Ａ−０１であり、ステートが仕掛りであるＤｏｃ−００１と、更に、ロックの属性が「有り」であるＤｏｃ−００２の部品情報が表示されている。
【００５６】
以上説明したように第４の実施の形態では、ユーザが検索したい所定の属性に属する所望の部品情報に対し、その部品情報に該当する部品が属する複数のグループまたは複数のサブグループについて、特定情報表示部１５０がマーキング表示することにより、その部品が属するグループまたはサブグループを、他のグループまたはサブグループから容易に識別することができる。
【００５７】
（第５の実施の形態）
第１乃至第４の実施の形態では、部品情報が１つの属性に１つ割り当てられていた場合について説明したが、本実施の形態では、例えば、１つの属性に２以上の部品情報が割り当てられている部品がある場合について、説明する。
【００５８】
この場合、基本的な処理は、第１乃至第３の実施の形態で示した部品統合管理装置１００の処理とほぼ同様である。第１乃至第３の実施の形態と異なる点は、１つの属性に２以上の部品情報が割り当てられている部品がある場合には、グループ分け部１４０は、いずれの部品情報に対応するグループが選択された場合においても、その部品の部品情報を選択させることができる。
【００５９】
ここで、部品管理データベース１１０から読み出された部品データの一例を、図１１に示す。図１１に示す部品データは、図３と同一の項目を属性として備えている。図１１に示す部品データでは、選択枠５１０で示すように、部品番号がＰａｒｔ−０００１で属性がＲＥＶの部品情報に、Ｐａｒｔ−Ａ−０１とＰａｒｔ−Ｂ−０１という部品情報が割り当てられている。これは、部品番号Ｐａｒｔ−０００１が、ＲＥＶという属性に対応する部品情報として、Ｐａｒｔ−Ａ−０１とＰａｒｔ−Ｂ−０１という２つ（多値）の部品情報を有していることを示している。
【００６０】
すなわち、グループ分け部１４０は、グループ名Ｐａｒｔ−Ａ−０１が選択されると、部品番号Ｐａｒｔ−０００１を、Ｐａｒｔ−Ａ−０１と「承認待ち」のＡＮＤ条件を示すグループに分ける。また、グループ分け部１４０は、グループ名Ｐａｒｔ−Ｂ−０１が選択されると、部品番号Ｐａｒｔ−０００１を、Ｐａｒｔ−Ｂ−０１と「承認待ち」のＡＮＤ条件を示すグループにも分ける。
【００６１】
従って、部品番号Ｐａｒｔ−０００１は、グループ名Ｐａｒｔ−Ａ−０１が選択されても、またはグループ名Ｐａｒｔ−Ｂ−０１が選択されても、選択されたグループに属する形態で表示される。
【００６２】
ここで、グループ分け部１４０と特定情報表示部１５０が行った処理結果の一例（多値属性Ａ）を、図１２に示す。図１２の左側には、選択枠５２０がグループ名Ｐａｒｔ−Ａ−０１を選択し、選択枠５３０が「承認待ち」を選択している。一方、図１２の右側には、多値属性Ａの検索結果として、グループ名Ｐａｒｔ−Ａ−０１に属し、かつ「承認待ち」に属する検索部品、すなわち部品番号Ｐａｒｔ−０００１とＰａｒｔ−０００２が表示されている。
【００６３】
また、グループ分け部１４０と特定情報表示部１５０が行った処理結果の一例（多値属性Ｂ）を、図１３に示す。図１３の左側には、選択枠５４０がグループ名Ｐａｒｔ−Ｂ−０１を選択し、選択枠５５０が「承認待ち」を選択している。一方、図１３の右側には、多値属性Ｂの検索結果として、グループ名Ｐａｒｔ−Ｂ−０１に属し、かつ「承認待ち」に属する検索部品、すなわち部品番号Ｐａｒｔ−０００１とＰａｒｔ−０００５が表示されている。
【００６４】
以上説明したように第５の実施の形態によれば、部品データの一部に１つの属性に複数の部品情報を有する部品がある場合には、その部品を複数のグループに属させることができる。
【００６５】
なお、第５の実施形態は、グループ名が選択されると、それぞれ多値属性Ａと多値属性Ｂとして、該当する部品情報を有する部品データを表示したが、本実施の形態はこれに限らず、例えば、選択枠５１０（図１１）によって、１つの属性に複数の部品情報を有する部品が選択されたときに、その部品が複数のグループを属するように一括表示しても良い。この場合の表示される一例を、図１４に示す。
【００６６】
図１４は、選択枠５１０（図１１）によって選択された部品番号Ｐａｒｔ−０００１が、グループ名Ｐａｒｔ−Ａ−０１とＰａｒｔ−Ｂ−０１の両方に属していることを示している。また、図１４は、図１２と図１３を併せて表示したものである。図１４で示される選択枠と検索部品一覧は、図１２及び図１３と同様であるため、説明を省略する。
【００６７】
以上、図面を参照して本発明の実施形態について述べたが、これらは本発明の例示であり、上記以外の様々な構成を採用することもできる。
【図面の簡単な説明】
【００６８】
【図１】本実施の形態に係る部品統合管理装置の概略の構成を示した概略構成図である。
【図２】本実施の形態に係る部品統合管理装置の動作を示したフローチャートである。
【図３】本実施の形態に係る部品管理データベースから読み出された部品データの一例を示したものである。
【図４】本実施の形態に係るグループ分け部と特定情報表示部が行った処理の一例を示したものである。
【図５】第２の実施の形態に係る部品統合管理装置の動作を示したフローチャートである。
【図６】第２の実施の形態に係る部品管理データベースから読み出された部品データの一例を示したものである。
【図７】第２の実施の形態に係る属性選択受付部が、図６の部品データをＡＮＤ条件によって検索した一例を示したものである。
【図８】第３の実施の形態に係る部品統合管理装置の動作を示したフローチャートである。
【図９】第４の実施の形態に係る部品管理データベースから読み出された部品データの一例を示したものである
【図１０】第４の実施の形態に係る特定情報表示部が、マーキング表示する一例を示したものである。
【図１１】第５の実施の形態に係る部品管理データベースから読み出された部品データの一例を示したものである
【図１２】第５の実施の形態に係るグループ分け部と特定情報表示部が行った多値属性Ａの一例を示したものである。
【図１３】第５の実施の形態に係るグループ分け部と特定情報表示部が行った多値属性Ｂの一例を示したものである
【図１４】第５の実施の形態に係るグループ分け部と特定情報表示部が行った多値属性を同時に表示した一例を示したものである
【符号の説明】
【００６９】
１００    部品統合管理装置
１１０    部品管理データベース
１２０    部品情報読出部
１３０    属性選択受付部
１４０    グループ分け部
１５０    特定情報表示部
１６０    条件受付部
２００    属性選択記憶部
２１０    選択枠
２２０    選択枠
３１０    選択枠
３２０    選択枠
３３０    選択枠
４１０    選択枠
４２０    選択枠
４３０    選択枠
４４０    選択枠
５１０    選択枠
５２０    選択枠
５３０    選択枠
５４０    選択枠
５５０    選択枠
【図１】
2010073166.tif 000003
【図２】
2010073166.tif 000004
【図３】
2010073166.tif 000005
【図４】
2010073166.tif 000006
【図５】
2010073166.tif 000007
【図６】
2010073166.tif 000008
【図７】
2010073166.tif 000009
【図８】
2010073166.tif 000010
【図９】
2010073166.tif 000011
【図１０】
2010073166.tif 000012
【図１１】
2010073166.tif 000013
【図１２】
2010073166.tif 000014
【図１３】
2010073166.tif 000015
【図１４】
2010073166.tif 000016